(57)【要約】【課題】デジタル放送波の受信状況が悪くて欠落パケットが生じた場合であっても、その欠落したＩＰパケットをできるだけ短い時間で取得して、当該取得したＩＰパケットから構成されるＩＰデータをユーザになるべく早く提示できるようにする「デジタル放送受信装置およびデジタル放送に多重化されたＩＰパケットの取得方法」を提供する。【解決手段】放送回線経由で取得したＩＰパケットの連番符号情報等に基づいて、取得できなかった欠落パケットを特定し、特定した欠落パケットを通信回線経由でＷｅｂサーバ２２０から携帯電話端末２００を介して受信することにより、放送回線経由で取得できなかった欠落パケットを携帯電話端末２００経由で取り直すことができるようにし、カルーセル方式で同じパケット（欠落パケット）が再送されてくるまで待つことなく、欠落パケットを直ちに取得できるようにする。【選択図】図１
2010035088.tif 000002
【特許請求の範囲】
【請求項１】
放送回線を介してデジタル放送信号を受信する受信部と、
前記受信部により受信された前記デジタル放送信号からＩＰデータを構成する複数のパケットを取得する取得部と、
前記ＩＰデータを構成する複数のパケットのうち前記取得部により取得されなかったパケットを欠落パケットとして特定する特定部と、
前記複数のパケットのうち少なくとも前記特定部により特定された前記欠落パケットの送信を通信回線を介して、前記ＩＰデータを記憶するサーバに要求する送信要求部と、
前記送信要求部による要求に応じて、前記サーバから前記通信回線を介して送信されたパケットを受信するパケット受信部とを備えたことを特徴とするデジタル放送受信装置。
【請求項２】
請求項１に記載のデジタル放送受信装置において、
前記送信要求部は、前記欠落パケットのみの送信を前記サーバに要求することを特徴とするデジタル放送受信装置。
【請求項３】
請求項１または２に記載のデジタル放送受信装置において、
前記パケットは、当該パケットに付された連番符号を示す連番符号情報および前記ＩＰデータを構成する複数のパケットの連番符号の範囲を示す構成情報を含み、
前記特定部は、前記取得部により取得されたパケットに含まれる前記連番符号情報および前記構成情報に基づいて、前記構成情報により示される連番符号の範囲のうち、欠けている連番符号のパケットを欠落パケットとして特定することを特徴とするデジタル放送受信装置。
【請求項４】
請求項１または２に記載のデジタル放送受信装置において、
前記パケットは、当該パケットに付された連番符号を示す連番符号情報を含み、
前記取得部は、前記パケットを前記連番符号の順番通りに取得し、
前記特定部は、前記取得部により今回取得されたパケットに付された連番符号と前回取得されたパケットに付された連番符号とが順番通りに連続していない場合、前記今回取得されたパケットに付された連番符号と前記前回取得されたパケットに付された連番符号との間に存在する連番符号に対応するパケットを欠落パケットとして特定することを特徴とするデジタル放送受信装置。
【請求項５】
放送回線を介してデジタル放送信号を受信する第１のステップと、
前記第１のステップにより受信された前記デジタル放送信号からＩＰデータを構成する複数のパケットを取得する第２のステップと、
前記複数のパケットのうち前記第２のステップにより取得されなかったパケットを欠落パケットとして特定する第３のステップと、
前記第３のステップにより特定された前記欠落パケットの送信を通信回線を介して、前記ＩＰデータを記憶するサーバに要求する第４のステップと、
前記第４のステップによる要求に応じて前記サーバから前記通信回線を介して前記欠落パケットを受信する第５のステップとを備えたことを特徴とするデジタル放送に多重化されたＩＰパケットの取得方法。
【発明の詳細な説明】
【技術分野】
【０００１】
本発明は、デジタル放送受信装置およびデジタル放送に多重化されたＩＰパケットの取得方法に関し、特に、通常のストリーミング放送に加えてＩＰパケットデータが多重化されたデジタル放送を受信する技術に関する。
【背景技術】
【０００２】
近年、ＩＰ（Ｉｎｔｅｒｎｅｔ  Ｐｒｏｔｏｃｏｌ）データを構成するＩＰパケットを、ＭＰＥＧ−２データを含むＭＰＥＧ２−ＴＳ（Ｔｒａｎｓｐｏｒｔ  Ｓｔｒｅａｍ）パケット（以下、ＴＳパケットと称する）に多重化して、放送局から放送受信装置に対しデジタル放送信号によるＴＳパケットの送信を行う放送システムが実現している（例えば、特許文献１を参照）。
【特許文献１】特開２００６−２８７７５０号公報
【０００３】
図９は、従来の放送受信装置の構成例を示すブロック図である。放送受信装置１の放送チューナ３は、受信アンテナ２を介してデジタル放送信号を受信し、復調処理を行う。放送チューナ３による復調処理により、受信したデジタル放送信号からＴＳパケットが抽出され、ＴＳデコーダ４に送られる。ＴＳデコーダ４は、ＴＳパケットに対して所定の復号処理を行い、ＭＰＥＧ−２パケット（映像／音声パケット）とＩＰパケットとを分離抽出する。映像音声デコーダ５は、ＴＳデコーダ４により分離抽出された映像／音声パケットを復号（伸張）し、復号した映像データをＯＳＤ（Ｏｎ  Ｓｃｒｅｅｎ  Ｄｉｓｐｌａｙ）表示処理部６へ出力する一方、同様に復号した音声データを外部のスピーカ７へ出力する。一方、データデコーダ９は、ＴＳデコーダ４により分離抽出されたＩＰパケットを復号し、復号したＩＰデータ（例えば、ＨＴＭＬデータ、ＸＭＬデータ等）をＷＷＷブラウザ９を介してＯＳＤ表示処理部６へ出力する。ＯＳＤ表示処理部６は、データデコーダ８からＷＷＷブラウザ９を介して出力されたＩＰデータを元にＯＳＤ表示画像を生成し、この生成したＯＳＤ表示画像と、映像音声デコーダ５が出力する映像データによる画像とを合成した合成画像をモニタ１０へ出力する。
【０００４】
ところで、車載用や携帯用等の放送受信装置の場合には、デジタル放送信号を受信しながら移動すると、受信環境が変化することにより受信電波状況がその都度変化するため、受信電波状況の悪い地点では一部のＴＳパケットを取得できないことがある。この場合でも、放送局から同じＴＳパケットがカルーセル方式で周期的に繰り返し伝送されてくるので、欠落したＴＳパケットを後から取得することができる。
【０００５】
しかしながら、カルーセル方式の再送間隔は、一般的に放送局側で任意に決定されるパラメータであるため、受信側ではＴＳパケットが再送されてくるまでの時間はまったく分からない。よって、放送局からカルーセル方式で再送されてくるＴＳパケットを受信するまでの時間が長い場合（すなわち、カルーセル方式の再送周期が長い場合）、それだけ再送されてきたＩＰデータを取得してユーザに提示するまでの時間も長くなってしまうという問題があった。この問題は特に、ＴＳパケットに含まれるＩＰパケットに含まれるＩＰデータが、リアルタイム性を要求されるデータ（例えば、映像音声デコーダ５から出力される映像との同期が要求されるＷｅｂデータ）である場合には顕著に現れる。
【０００６】
なお、受信状態が悪くなることで地上デジタルテレビジョンの放送受信が困難になった場合でも、シームレスに地上デジタル放送の視聴を可能にする技術が提案されている（例えば、特許文献２を参照）。具体的には、地上デジタルテレビジョン放送受信でのエラー発生レベルを常に監視し、受信電界強度が低下してエラー訂正限界になる直前に携帯電話網を用いてＩＰネットワーク網に接続し、ＩＰ再送信コンテンツを受信する。
【特許文献２】特開２００７−１５８４９２号公報
【発明の開示】
【発明が解決しようとする課題】
【０００７】
しかしながら、特許文献２に記載の技術では、地上デジタルテレビジョンの放送受信が困難になった場合、地上デジタルテレビジョン受信による番組視聴からＩＰネットワークでの通信による番組視聴にシームレスに切り換えるため、一部のＴＳパケットを取得できないときには欠落したＴＳパケットを後から取得することができないという問題があった。すなわち、映像音声デコーダ５から出力される映像との同期が要求されるＷｅｂデータが表示されないままとなることもある。
【０００８】
本発明は、このような問題を解決するために成されたものであり、デジタル放送波の受信状況が悪くて欠落パケットが生じた場合であっても、その欠落したＩＰパケットをできるだけ短い時間で取得して、当該取得したＩＰパケットを含めて構成されるＩＰデータをユーザに提示するまでの時間をなるべく短くできるようにすることを目的とする。
【課題を解決するための手段】
【０００９】
上記した課題を解決するために、本発明では、放送回線を介して取得するＩＰデータを構成する複数のパケットのうち取得されなかったパケットを欠落パケットとして特定し、当該特定した欠落パケットの送信を通信回線を介して、当該ＩＰデータを記憶するサーバに要求し、その要求に応じてサーバから通信回線を介して欠落パケットを受信するようにしている。
【発明の効果】
【００１０】
上記のように構成した本発明によれば、ＩＰデータを構成する複数のパケットのうち、放送回線経由で取得できなかった欠落パケットを通信回線経由で取り直すことができるので、デジタル放送波の受信状況が悪くてＩＰパケットが欠落した場合であっても、カルーセル方式で同じパケットが再送されてくるまで待つ必要がなくなり、欠落パケットを直ちに取得できる。したがって、放送回線経由で欠落したＩＰパケットも含めて構成されるＩＰデータをなるべく短い時間でユーザに提示することができる。
【発明を実施するための最良の形態】
【００１１】
以下、本発明の第１の実施形態を図面に基づいて説明する。図１は、第１の実施形態によるデジタル放送受信システム１００の全体構成例を示す図である。図１に示すように、デジタル放送受信システム１００は、デジタル放送送信装置１２０、デジタル放送受信装置１４０、スピーカ１６０、モニタ１８０、携帯電話端末２００およびＷｅｂサーバ２２０を備えて構成されている。このうち、デジタル放送送信装置１２０は、例えば放送局に設置される。デジタル放送受信装置１４０、スピーカ１６０、モニタ１８０および携帯電話端末２００は、例えばデジタル放送が視聴される視聴者宅に設置される。Ｗｅｂ記憶サーバ２２０は、例えばデータ配信センタに設置される。そして、デジタル放送送信装置１２０とデジタル放送受信装置１４０の間が放送回線で接続されている。また、デジタル放送受信装置１４０、携帯電話端末２００、Ｗｅｂサーバ２２０の間が有線または無線の通信回線にて接続されている。
【００１２】
次に、デジタル放送送信装置１２０の機能構成について説明する。図１に示すように、デジタル放送送信装置１２０は、映像音声データ記憶部３００、ＩＰデータ記憶部３２０、番組スケジュール情報記憶部３４０、送信制御部３６０、多重化部３８０、送信部４００およびＩＰパケット送信部４２０を備えて構成されている。
【００１３】
映像音声データ記憶部３００は、デジタル動画データおよびデジタル静止画データを含む映像データと音声データとを記憶している。各デジタル映像データは、固有の識別番号として映像データＩＤが付されている。また、各音声データは、固有の識別番号として音声データＩＤが付されている。ＩＰデータ記憶部３２０は、例えば、ＨＴＭＬデータまたはＸＭＬデータ等のＩＰデータを記憶している。各ＩＰデータは、固有の識別番号としてＩＰデータＩＤが付されている。
【００１４】
番組スケジュール情報記憶部３４０は、番組スケジュール情報を記憶している。この番組スケジュール情報は、番組を識別するための番組ＩＤを示す番組ＩＤ情報、番組の放送開始日時を示す放送開始日時情報、番組で使用される１つ以上の映像データに対応する映像データＩＤ情報、番組で使用される１つ以上の音声データに対応する音声データＩＤ情報、番組で使用される１つ以上のＩＰデータに対応するＩＰデータＩＤ情報、各ＩＰデータをどのタイミングで後述するＴＳパケットに多重化するかを示すタイミング情報を関連付けたテーブル情報である。
【００１５】
送信制御部３６０は、番組スケジュール情報記憶部３２０に記憶されている番組スケジュール情報中の放送開始日時情報を参照して、図示しない時計部から取得した現在日時が、当該放送開始日時情報により示される放送開始日時に到達したか否かについて判定する。送信制御部３６０は、現在日時が放送開始日時に到達したと判定した場合、その放送開始日時情報に関連付けられた映像データＩＤ情報、音声データＩＤ情報およびＩＰデータＩＤ情報にそれぞれ対応する映像データ、音声データおよびＩＰデータをＴＳパケットへ多重化する処理を要求する多重化要求信号を多重化部３８０に出力する。ここで、多重化要求信号には、番組スケジュール情報中の放送開始日時情報に関連付けられた映像データＩＤ情報、音声データＩＤ情報およびＩＰデータＩＤ情報が含まれる。
【００１６】
多重化部３８０は、送信制御部３６０から出力された多重化要求信号を入力すると、その多重化要求信号に含まれる映像データＩＤ情報および音声データＩＤ情報に対応する映像データおよび音声データを映像音声データ記憶部３００から取り出す。そして、多重化部３８０は、映像音声データ記憶部３００から取り出した映像データおよび音声データを所定サイズに分割し、分割した映像データおよび音声データ毎にパケット化して複数の映像／音声パケットを生成する。多重化部３８０は、各映像／音声パケットに対して連番符号を付す。例えば、「１」〜「１０」のように、若い番号から順に連番符号を付す。
【００１７】
また、多重化部３８０は、送信制御部３６０から出力された多重化要求信号を入力すると、その多重化要求信号に含まれるＩＰデータＩＤ情報に対応するＩＰデータをＩＰデータ記憶部３２０から取り出す。そして、多重化部３８０は、ＩＰデータ記憶部３２０から取り出したＩＰデータを所定サイズに分割し、分割したＩＰデータ毎にパケット化して複数のＩＰパケットを生成する。多重化部３８０は、各ＩＰパケットに対して連番符号を付す。例えば、「１」〜「１０」のように、若い番号から順に連番符号を付す。なお、各ＩＰパケットには、ＩＰパケットに付された連番符号を示す連番符号情報とひとまとまりのＩＰデータを構成する複数のＩＰパケットの連番符号の範囲（例えば、１〜１００）を示す構成情報とＩＰデータ毎に固有のＩＰデータＩＤ情報とが含められる。本実施形態では、ひとまとまりのＩＰデータとは、例えば１枚のＷｅｂページを構成するＩＰデータ全体のことをいう。
【００１８】
また、多重化部３８０は、１つ以上の映像／音声パケットと１つ以上のＩＰパケットとを多重化してＴＳパケットを生成する。なお、ＴＳパケットに含まれる映像／音声パケットやＩＰパケットの連番符号は若い番号から順番になるとは限らない。多重化部３８０は、ＴＳパケットを生成する度に当該ＴＳパケットを送信部４００に出力する。また、多重化部３８０は、ＴＳパケットを構成するＩＰパケットを生成する度に、各ＩＰパケットとその連番符号情報およびＩＰデータＩＤ情報とをＩＰパケット送信部４２０に出力する。
【００１９】
送信部４００は、多重化部３８０から出力されたＴＳパケットに対して変調処理を行ってデジタル放送信号を生成する。送信部４００は、デジタル放送信号を生成する度に、有線または無線の放送回線を介して当該デジタル放送信号をデジタル放送受信装置１４０に送信する。ＩＰパケット送信部４２０は、多重化部３８０から出力された各ＩＰパケットとその連番符号情報およびＩＰデータＩＤ情報とを受ける度に、それらをＷｅｂサーバ２２０に逐次送信する。
【００２０】
次に、デジタル放送受信装置１４０の機能構成について説明する。図１に示すように、デジタル放送受信装置１４０は、放送チューナ５００（特許請求の範囲の受信部に相当する）、ＴＳデコーダ５２０（特許請求の範囲の取得部に相当する）、映像音声デコーダ５４０、データデコーダ５６０（特許請求の範囲の取得部に相当する）、ＩＰパケットバッファ５８０、計時部６００、特定部６２０、送信要求部６４０、パケット受信部６６０、欠落パケットバッファ６８０、ＷＷＷブラウザ７００およびＯＳＤ表示処理部７２０を備えて構成されている。なお、デジタル放送受信装置１４０には、その付属機器としてスピーカ１６０およびモニタ１８０が接続されている。
【００２１】
放送チューナ５００は、放送回線を介してデジタル放送送信装置１２０の送信部４００から送信されてくるデジタル放送信号を受信し復調処理を行う。そして、放送チューナ５００は、復調処理によりデジタル放送信号からＴＳパケットを抽出し、当該抽出したＴＳパケットをＴＳデコーダ５２０に出力する。
【００２２】
ＴＳデコーダ５２０は、放送チューナ５００から出力されたＴＳパケットに対して所定の復号処理を行い、映像／音声パケットおよびＩＰパケットを分離抽出する。ＴＳデコーダ５２０は、分離抽出した映像／音声パケットを映像音声デコーダ５４０に出力する。また、ＴＳデコーダ５２０は、分離抽出したＩＰパケットをデータデコーダ５６０に出力する。
【００２３】
映像音声デコーダ５４０は、ＴＳデコーダ５２０から出力された映像／音声パケットを復号し、復号により得た映像データをＯＳＤ表示処理部７２０に出力する。また、映像音声デコーダ５４０は、映像／音声パケットから復号により得た音声データをスピーカ１６０に出力する。
【００２４】
データデコーダ５６０は、ＴＳデコーダ５２０から出力されたＩＰパケットを復号し、復号した連番符号情報および構成情報を、同じく復号したＩＰデータＩＤ情報に関連付けてＩＰパケットバッファ５８０に記憶する。また、データデコーダ５６０は、ＴＳデコーダ５２０より得たＩＰパケットから復号したＩＰデータをＷＷＷブラウザ７００に出力する。
【００２５】
また、データデコーダ５６０は、欠落パケットバッファ６８０に記憶されている欠落パケットを必要に応じて取得して復号し、復号したＩＰデータをＷＷＷブラウザ７００に出力する。欠落パケットバッファ６８０から欠落パケットを取得して復号を行った場合、データデコーダ５６０は、その取得した欠落パケットを欠落パケットバッファ６８０から削除する。
【００２６】
計時部６００は、放送チューナ５００がデジタル放送信号の受信を開始してからの経過時間を算出する。また、計時部６００は、経過時間の算出を開始してから所定時間（例えば、５秒）が経過する度に当該経過時間をリセットする（０秒に設定する）。すなわち、計時部６００は、デジタル放送信号の受信を開始してから５秒のカウント動作を繰り返し行う。
【００２７】
特定部６２０は、計時部６００により算出された経過時間が所定時間になった場合、ＩＰパケットバッファ５８０に記憶されている連番符号情報、構成情報およびＩＰデータＩＤ情報に基づいて、構成情報により示される連番符号の範囲のうち、欠けている連番符号のＩＰパケットを欠落パケットとして特定する。例えば、あるＩＰデータＩＤ情報に対応する構成情報により示される連番符号の範囲が１〜１０であって、ＩＰパケットバッファ５８０に記憶されている連番符号情報により示される連番符号が１、２、３、４、６、８、９、１０である場合には、特定部６２０は、欠けている連番符号（５、７）のＩＰパケットを欠落パケットとして特定する。ＩＰパケットバッファ５８０に複数のＩＰデータＩＤ情報が記憶されているとき、特定部６２０は、各ＩＰデータＩＤ情報毎に、構成情報および連番符号情報に基づいて欠落パケットを特定する。
【００２８】
また、特定部６２０は、欠落パケットの特定を行った場合は、ＩＰパケットバッファ５８０に記憶されている情報を削除する。特定部６２０は、欠落パケットとして特定したＩＰパケットの連番符号およびこれに対応するＩＰデータＩＤ情報の組を示す欠落パケット情報を送信要求部６４０に出力する。
【００２９】
送信要求部６４０は、特定部６２０から出力された欠落パケット情報により示される欠落パケットの送信処理を要求する欠落パケット送信要求信号を携帯電話端末２００に送信する。携帯電話端末２００は、送信要求部６４０から送信された欠落パケット送信要求信号をＷｅｂサーバ２２０に送信する。ここで、欠落パケット送信要求信号には、欠落パケットに該当するＩＰパケットの連番符号情報およびＩＰデータＩＤ情報が含まれている。また、送信要求部６４０は、Ｗｅｂサーバ２２０のアドレスを保持しており、これを携帯電話端末２００に伝える。
【００３０】
パケット受信部６６０は、送信要求部６４０による欠落パケット送信要求に応じて、Ｗｅｂサーバ２２０から携帯電話端末２００を介して送信されたＩＰパケット（欠落パケット）を受信する。そして、パケット受信部６６０は、Ｗｅｂサーバ２２０から携帯電話端末２００を介してＩＰパケットを受信する度に、当該受信したＩＰパケットを欠落パケットバッファ６８０に記憶する。
【００３１】
ＷＷＷブラウザ７００は、データデコーダ５６０から出力されたＩＰデータを解析して表示画像を生成する。そして、ＷＷＷブラウザ７００は、生成した表示画像をＯＳＤ表示処理部７２０に出力する。ＯＳＤ表示処理部７２０は、ＷＷＷブラウザ７００から出力された表示画像と、映像音声デコーダ５４０から出力された映像データによる表示画像とを合成して合成画像を生成する。そして、ＯＳＤ表示処理部７２０は、生成した合成画像をモニタ１８０に出力する。
【００３２】
次に、Ｗｅｂサーバ２２０の機能構成について説明する。図１に示すように、Ｗｅｂサーバ２２０は、ＩＰパケット受信部８００、ＩＰパケット記憶部８２０、欠落パケット取得部８４０および欠落パケット送信部８６０を備えて構成される。
【００３３】
ＩＰパケット受信部８００は、デジタル放送送信装置１２０のＩＰパケット送信部４２０から送信されたＩＰパケット、その連番符号情報およびＩＰデータＩＤ情報を受信する。そして、ＩＰパケット受信部８００は、受信したＩＰパケットを、その連番符号情報およびＩＰデータＩＤ情報に関連付けてＩＰパケット記憶部８２０に記憶する。
【００３４】
欠落パケット取得部８４０は、携帯電話端末２００から送信された欠落パケット送信要求信号を受信する。その後、欠落パケット取得部８４０は、ＩＰパケット記憶部８２０に記憶されている連番符号情報およびＩＰデータＩＤ情報を参照して、受信した欠落パケット送信要求信号に含まれる連番符号情報およびＩＰデータＩＤ情報に対応するＩＰパケットをＩＰパケット記憶部８２０から取得する。その後、欠落パケット取得部８４０は、ＩＰパケット記憶部８２０から取得したＩＰパケット（欠落パケット）を欠落パケット送信部８６０に出力する。
【００３５】
欠落パケット送信部８６０は、欠落パケット取得部８４０から出力されたＩＰパケットを携帯電話端末２００に送信する。携帯電話端末２００は、欠落パケット送信部８６０から送信されたＩＰパケットをデジタル放送受信装置１４０のパケット受信部６６０に送信する。
【００３６】
次に、第１の実施形態におけるデジタル放送受信システム１００の動作について説明する。図２および図３は、デジタル放送受信システム１００の動作例を示すフローチャートである。なお、図３は、図２の続きのフローチャートである。図２におけるステップＳ１００の処理は、デジタル放送送信装置１２０の送信制御部３６０が、番組スケジュール情報記憶部３２０に記憶されている番組スケジュール情報中の放送開始日時情報を参照して、時計部から取得した現在日時が、当該放送開始日時情報により示される放送開始日時に到達したと判定したことにより開始する。
【００３７】
まず、送信制御部３６０は、放送開始日時情報に関連付けられた多重化要求信号を多重化部３８０に出力する（ステップＳ１００）。多重化部３８０は、送信制御部３６０から出力された多重化要求信号を入力すると、その多重化要求信号に含まれる映像データＩＤ情報および音声データＩＤ情報に対応する映像データおよび音声データを映像音声データ記憶部３００から取り出す。そして、多重化部３８０は、映像音声データ記憶部３００から取り出した映像データおよび音声データを所定サイズに分割し、分割した映像データおよび音声データ毎にパケット化して複数の映像／音声パケットを生成する（ステップＳ１２０）。
【００３８】
また、多重化部３８０は、送信制御部３６０から出力された多重化要求信号を入力すると、その多重化要求信号に含まれるＩＰデータＩＤ情報に対応するＩＰデータをＩＰデータ記憶部３２０から取り出す。そして、多重化部３８０は、ＩＰデータ記憶部３２０から取り出したＩＰデータを所定サイズに分割し、分割したＩＰデータ毎にパケット化して複数のＩＰパケットを生成する（ステップＳ１４０）。
【００３９】
次に、ＩＰパケット送信部４２０は、ステップＳ１４０にて多重化部３８０により生成された各ＩＰパケットとその連番符号情報およびＩＰデータＩＤ情報とをＷｅｂサーバ２２０に送信する（ステップＳ１６０）。Ｗｅｂサーバ２２０のＩＰパケット受信部８００は、デジタル放送送信装置１２０のＩＰパケット送信部４２０から送信されたＩＰパケット、その連番符号情報およびＩＰデータＩＤ情報を受信する。そして、ＩＰパケット受信部８００は、受信したＩＰパケットを、その連番符号情報およびＩＰデータＩＤ情報に関連付けてＩＰパケット記憶部８２０に記憶する（ステップＳ１８０）。
【００４０】
次に、多重化部３８０は、１つ以上の映像／音声パケットと１つ以上のＩＰパケットとを多重化してＴＳパケットを生成する（ステップＳ２００）。次に、送信部４００は、多重化部３８０により生成されたＴＳパケットに対して変調処理を行ってデジタル放送信号を生成し、有線または無線の放送回線を介してデジタル放送受信装置１４０に送信する（ステップＳ２２０）。デジタル放送受信装置１４０の放送チューナ５００は、放送回線を介してデジタル放送送信装置１２０の送信部４００から送信されてくるデジタル放送信号を受信し復調処理を行う。
【００４１】
次に、計時部６００は、放送チューナ５００がデジタル放送信号の受信を開始してからの経過時間の算出を開始する（ステップＳ２４０）。次に、ＴＳデコーダ５２０は、放送チューナ５００から出力されたＴＳパケットに対して所定の復号処理を行い、映像／音声パケットおよびＩＰパケットを分離抽出する（ステップＳ２６０）。ＴＳデコーダ５２０は、分離抽出した映像／音声パケットを映像音声デコーダ５４０に出力する。また、ＴＳデコーダ５２０は、分離抽出したＩＰパケットをデータデコーダ５６０に出力する。
【００４２】
次に、映像音声デコーダ５４０は、ＴＳデコーダ５２０から出力された映像／音声パケットを復号し、復号した映像データをＯＳＤ表示処理部７２０に出力する（ステップＳ２８０）。また、データデコーダ５６０は、ＴＳデコーダ５２０から出力されたＩＰパケットを復号し、復号したＩＰデータをＷＷＷブラウザ７００に出力する（ステップＳ３００）。また、データデコーダ５６０は、ステップＳ３００での復号により得た連番符号情報および構成情報を、同じく復号により得たＩＰデータＩＤ情報に関連付けてＩＰパケットバッファ５８０に記憶する（ステップＳ３２０）。
【００４３】
次に、計時部６００は、経過時間が所定時間（例えば、５秒）に到達したか否かについて判定する（ステップＳ３４０）。もし、経過時間が所定時間に到達していないと計時部６００にて判定した場合（ステップＳ３４０にてＮＯ）、処理はステップＳ４４０に遷移する。一方、経過時間が所定時間に到達したと計時部６００にて判定した場合（ステップＳ３４０にてＹＥＳ）、計時部６００は、経過時間をリセットして再びゼロから経過時間のカウントを開始する（ステップＳ３６０）。次に、デジタル放送受信装置１４０、携帯電話端末２００およびＷｅｂサーバ２２０は、後述する欠落パケット取得処理（図４参照）を実行する（ステップＳ３８０）。
【００４４】
ステップＳ３８０における欠落パケット取得処理の終了後、データデコーダ５６０は、欠落パケットバッファ６８０に欠落パケットが記憶されているか否かについて判定する（ステップＳ４００）。もし、欠落パケットバッファ６８０に欠落パケットが記憶されていないとデータデコーダ５６０にて判定した場合（ステップＳ４００にてＮＯ）、処理はステップＳ４４０に遷移する。一方、欠落パケットバッファ６８０に欠落パケットが記憶されているとデータデコーダ５６０にて判定した場合（ステップＳ４００にてＹＥＳ）、データデコーダ５６０は、欠落パケットバッファ６８０に記憶されている欠落パケットを復号し、復号したＩＰデータをＷＷＷブラウザ７００に出力する（ステップＳ４２０）。その後、データデコーダ５６０は、欠落パケットバッファ６８０に記憶されている欠落パケットを削除する。
【００４５】
次に、ＷＷＷブラウザ７００は、ステップＳ３００およびステップＳ４２０にてデータデコーダ５６０から出力されたＩＰデータを解析して表示画像を生成する（ステップＳ４４０）。次に、ＯＳＤ表示処理部７２０は、ＷＷＷブラウザ７００から出力された表示画像と、映像音声デコーダ５４０から出力された映像データによる表示画像とを合成して合成画像を生成する（ステップＳ４６０）。次に、ＯＳＤ表示処理部７２０は、生成した合成画像をモニタ１８０に出力する（ステップＳ４８０）。また、映像音声デコーダ５４０は、ステップＳ２６０で復号した音声データをスピーカ１６０に出力する（ステップＳ５００）。
【００４６】
次に、デジタル放送受信装置１４０は、ユーザによる電源オフ操作が行なわれたか否かについて判定する（ステップＳ５２０）。もし、電源オフ操作が行なわれていないとデジタル放送受信装置１４０にて判定した場合（ステップＳ５２０にてＮＯ）、処理は、図２のステップＳ２６０に遷移する。一方、電源オフ操作が行なわれたとデジタル放送送信装置１４０にて判定した場合（ステップＳ５２０にてＹＥＳ）、デジタル放送受信装置１４０は、図２、図３における処理を終了する。
【００４７】
一方、デジタル放送送信装置１２０では、多重化部３８０は、ステップＳ１２０およびＳ１４０にて生成された全ての映像／音声パケットおよびＩＰパケットを用いてＴＳパケットを生成したか否かについて判定する（ステップＳ５４０）。もし、ステップＳ１２０およびＳ１４０にて生成された全ての映像／音声パケットおよびＩＰパケットを用いてＴＳパケットを生成していないと多重化部３８０にて判定した場合（ステップＳ５４０にてＮＯ）、処理は図２のステップＳ２００に遷移する。一方、ステップＳ１２０およびＳ１４０にて生成された全ての映像／音声パケットおよびＩＰパケットを用いてＴＳパケットを生成したと多重化部３８０にて判定した場合（ステップＳ５４０にてＹＥＳ）、デジタル放送送信装置１２０は、図２、図３における処理を終了する。
【００４８】
次に、図２のステップＳ３８０にて実行される欠落パケット取得処理について説明する。図３は、デジタル放送受信装置１４０、携帯電話端末２００およびＷｅｂサーバ２２０による欠落パケット取得動作例を示すフローチャートである。まず、特定部６２０は、ＩＰパケットバッファ５８０に記憶されている連番符号情報、構成情報およびＩＰデータＩＤ情報に基づいて、構成情報により示される連番符号の範囲のうち、欠けている連番符号のＩＰパケット（欠落パケット）があるか否かについて判定する（ステップＳ６００）。もし、欠落パケットがないと特定部６２０にて判定した場合（ステップＳ６００にてＮＯ）、デジタル放送受信装置１４０、携帯電話端末２００およびＷｅｂサーバ２２０は、図４における処理を終了する。
【００４９】
一方、欠落パケットがあると特定部６２０にて判定した場合（ステップＳ６００にてＹＥＳ）、特定部６２０は、欠落パケットとして特定したＩＰパケットの連番符号およびこれに対応するＩＰデータＩＤ情報の組を示す欠落パケット情報を送信要求部６４０に出力する（ステップＳ６２０）。次に、送信要求部６４０は、特定部６２０から出力された欠落パケット情報により示される欠落パケットの送信処理を要求する欠落パケット送信要求信号を携帯電話端末２００に送信する（ステップＳ６４０）。携帯電話端末２００は、送信要求部６４０から送信された欠落パケット送信要求信号をＷｅｂサーバ２２０に送信する。欠落パケット取得部８４０は、携帯電話端末２００から送信された欠落パケット送信要求信号を受信する。
【００５０】
次に、欠落パケット取得部８４０は、ＩＰパケット記憶部８２０に記憶されている連番符号情報およびＩＰデータＩＤ情報を参照して、受信した欠落パケット送信要求信号に含まれる連番符号情報およびＩＰデータＩＤ情報に対応するＩＰパケットをＩＰパケット記憶部８２０から取得する（ステップＳ６６０）。欠落パケット取得部８４０は、ＩＰパケット記憶部８２０から取得したＩＰパケット（欠落パケット）を欠落パケット送信部８６０に出力する。
【００５１】
次に、欠落パケット送信部８６０は、欠落パケット取得部８４０から出力されたＩＰパケットを携帯電話端末２００に送信する（ステップＳ６８０）。携帯電話端末２００は、欠落パケット送信部８６０から送信されたＩＰパケットをデジタル放送受信装置１４０のパケット受信部６６０に送信する。パケット受信部６６０は、携帯電話端末２００から送信されたＩＰパケットを受信する。
【００５２】
最後に、パケット受信部６６０は、Ｗｅｂサーバ２２０から携帯電話端末２００を介して受信したＩＰパケット（欠落パケット）を欠落パケットバッファ６８０に記憶する（ステップＳ７００）。ステップＳ７００における処理が終了することにより、デジタル放送受信装置１４０、携帯電話端末２００およびＷｅｂサーバ２２０は、図４における処理を終了する。
【００５３】
以上詳しく説明したように、第１の実施形態では、計時部６００により算出された経過時間が所定時間を経過する度に、特定部６２０がデータデコーダ５６０により取得されたＩＰパケットに含まれる連番符号情報、構成情報およびＩＰデータＩＤ情報に基づいて、構成情報により示される連番符号の範囲のうち、欠けている連番符号のＩＰパケットを欠落パケットとして特定する。そして、送信要求部６４０が当該特定した欠落パケットの送信を通信回線を介してＷｅｂサーバ２２０に要求し、その要求に応じてＷｅｂサーバ２２０から通信回線を介して欠落パケットをパケット受信部６６０にて受信するようにしている。
【００５４】
以上より、放送チューナ５００で受信したデジタル放送信号中にＩＰパケットの欠落が生じても、その欠落パケットを通信回線経由で取得することができる。これにより、デジタル放送波の受信状況が悪くてＩＰパケットが欠落した場合であっても、カルーセル方式で同じパケットが再送されてくるまで待つ必要がなくなり、欠落パケットを直ちに取得できる。したがって、放送回線経由で欠落したＩＰパケットも含めて構成されるＩＰデータをなるべく短い時間でユーザに提示することができる。
【００５５】
なお、上記第１の実施形態では、計時部６００により算出された経過時間が所定時間になる毎に欠落パケットの特定処理を行う例について説明したが、欠落パケットを特定するタイミングはこれに限定されない。例えば、ＩＰパケットバッファ５８０に所定数のＩＰパケットが溜まる毎に欠落パケットの特定処理を行うようにしても良い。
【００５６】
また、ＩＰパケットバッファ５８０の記憶領域の全てに情報が記憶される毎に欠落パケットの特定処理を行うようにしても良い。また、ＩＰパケットバッファ５８０に記憶されるＩＰデータＩＤ情報が切り替わる毎に欠落パケットの特定処理を行うようにしても良い。このようにすれば、ＩＰデータのまとまり毎に、実際に欠落しているＩＰパケットを的確に特定することができる。
【００５７】
また、上記第１の実施形態では、構成情報により示される連番符号の範囲の中で連番符号が欠落しているＩＰパケットを欠落パケットとして特定する例について説明したが、欠落パケットを特定する態様はこれに限定されない。例えば、ＩＰパケットバッファ５８０にＩＰデータＩＤ情報毎に記憶されている連番符号情報の中で最小の連番符号および最大の連番符号を求め、その求めた最小の連番符号と最大の連番符号との間で欠けている連番符号に対応するＩＰパケットを欠落パケットとして特定しても良い。このようにすれば、例えば、所定時間単位、所定のパケット数単位で欠落パケットの特定処理を行った場合でも、実際に欠落しているＩＰパケットを的確に特定することができる。
【００５８】
次に、本発明の第２の実施形態を図面に基づいて説明する。図５は、第２の実施形態によるデジタル放送受信システム１００’の全体構成例を示すブロック図である。なお、この図５において、図１に示した符号と同一の符号を付したものは同一の機能を有するものであるので、ここでは重複する説明を省略する。
【００５９】
第２の実施形態において、デジタル放送受信装置１４０’は、図１の計時部６００を備えていない。また、デジタル放送受信装置１４０’は、図１のデータデコーダ５６０に代えてデータデコーダ５６０’を備えて構成される。また、デジタル放送受信装置１４０’は、図１の特定部６２０に代えて特定部６２０’を備えて構成される。なお、第２の実施形態では、多重化部３８０により生成されるＴＳパケットに含まれる映像／音声パケットやＩＰパケットの連番符号は若い番号から順番になるものとする。
【００６０】
第２の実施形態では、データデコーダ５６０’は、ＴＳデコーダ５２０からＩＰパケットを連番符号の順番通りに取得する。データデコーダ５６０’は、ＴＳデコーダ５２０から出力されたＩＰパケットを復号し、復号により得た連番符号情報を、同じく復号により得たＩＰデータＩＤ情報に関連付けてＩＰパケットバッファ５８０に記憶する。ＩＰパケットバッファ５８０は、ＦＩＦＯ（Ｆｉｒｓｔ−Ｉｎ  Ｆｉｒｓｔ−Ｏｕｔ）方式で少なくとも２つのＩＰパケットに関する連番符号情報をＩＰデータＩＤ情報と共に記憶可能な記憶領域を有していれば良い。また、データデコーダ５６０’は、ＩＰパケットから復号したＩＰデータをＷＷＷブラウザ７００に出力する。
【００６１】
また、データデコーダ５６０’は、欠落パケットバッファ６８０に記憶されている欠落パケットを必要に応じて取得して復号し、復号したＩＰデータをＷＷＷブラウザ７００に出力する。欠落パケットバッファ６８０から欠落パケットを取得して復号を行った場合、データデコーダ５６０は、その取得した欠落パケットを欠落パケットバッファ６８０から削除する。
【００６２】
特定部６２０’は、ＩＰパケットバッファ５８０に記憶されている連番符号情報に基づいて、データデコーダ５６０’により今回取得されたＩＰパケットに付された連番符号と前回取得されたＩＰパケットに付された連番符号とが順番通りに連続しているか否かについて判定する。そして、連番符号が順番通りに連続していないと判定した場合、特定部６２０’は、今回取得されたＩＰパケットに付された連番符号と前回取得されたＩＰパケットに付された連番符号との間に存在する連番符号に対応するＩＰパケットを欠落パケットとして特定する。
【００６３】
例えば、データデコーダ５６０’により今回取得されたＩＰパケットに付された連番符号が５、前回取得されたＩＰパケットに付された連番符号が２である場合には、特定部６２０’は、今回取得されたＩＰパケットに付された連番符号（５）と前回取得されたＩＰパケットに付された連番符号（２）との間に存在する連番符号（３および４）に対応するＩＰパケットを欠落パケットとして特定する。特定部６２０’は、欠落パケットとして特定したＩＰパケットの連番符号およびこれに対応するＩＰデータＩＤ情報の組を示す欠落パケット情報を送信要求部６４０に出力する。
【００６４】
次に、第２の実施形態におけるデジタル放送受信システム１００’の動作について説明する。図６および図７は、デジタル放送受信システム１００’の動作例を示すフローチャートである。なお、図７は、図６の続きのフローチャートである。図６におけるステップＳ８００の処理は、デジタル放送送信装置１２０の送信制御部３６０が、番組スケジュール情報記憶部３２０に記憶されている番組スケジュール情報中の放送開始日時情報を参照して、時計部から取得した現在日時が、当該放送開始日時情報により示される放送開始日時に到達したと判定したことにより開始する。なお、この図６において、ステップＳ８００〜Ｓ１０００は、図２のステップＳ１００〜Ｓ２２０、ステップＳ２６０〜Ｓ３２０と同一の処理であるので、ここでは重複する説明を省略する。
【００６５】
図６のステップＳ１０００でデータデコーダ５６０’が連番符号情報、構成情報およびＩＰデータＩＤ情報を関連付けてＩＰパケットバッファ５８０に記憶した後、図７のステップＳ１０２０において、デジタル放送受信装置１４０’、携帯電話端末２００およびＷｅｂサーバ２２０が、後述する欠落パケット取得処理（図８参照）を実行する。なお、その後のステップＳ１０４０〜Ｓ１１８０の処理は、図３のステップＳ４００〜Ｓ５４０の処理と同一であるので、ここでは重複する説明を省略する。
【００６６】
次に、図７のステップＳ１０２０にてデジタル放送受信装置１４０’、携帯電話端末２００およびＷｅｂサーバ２２０により実行される欠落パケット取得処理について説明する。図８は、デジタル放送受信装置１４０’、携帯電話端末２００およびＷｅｂサーバ２２０による欠落パケット取得の動作例を示すフローチャートである。
【００６７】
まず、特定部６２０’は、ＩＰパケットバッファ５８０に記憶されている連番符号情報に基づいて、データデコーダ５６０’により今回取得されたＩＰパケットに付された連番符号と前回取得されたＩＰパケットに付された連番符号とが順番通りに連続しているか否かについて判定する（ステップＳ１３００）。もし、今回取得されたＩＰパケットに付された連番符号と前回取得されたＩＰパケットに付された連番符号とが順番通りに連続していると特定部６２０’にて判定した場合（ステップＳ１３００にてＮＯ）、デジタル放送受信装置１４０’、携帯電話端末２００およびＷｅｂサーバ２２０は、図８における処理を終了する。
【００６８】
一方、今回取得されたＩＰパケットに付された連番符号と前回取得されたＩＰパケットに付された連番符号とが順番通りに連続していないと特定部６２０’にて判定した場合（ステップＳ１３００にてＹＥＳ）、特定部６２０’は、今回取得されたＩＰパケットに付された連番符号と前回取得されたＩＰパケットに付された連番符号との間に存在する連番符号およびこれに対応するＩＰデータＩＤ情報の組を示す欠落パケット情報を送信要求部６４０に出力する（ステップＳ１３２０）。その後のステップＳ１３４０〜Ｓ１４００の処理は、図４のステップＳ６４０〜Ｓ７００の処理と同一であるので、ここでは重複する説明を省略する。
【００６９】
以上詳しく説明したように、第２の実施形態では、特定部６２０’は、データデコーダ５６０’により今回取得されたＩＰパケットに付された連番符号と前回取得されたＩＰパケットに付された連番符号とが順番通りに連続していない場合、今回取得されたパケットに付された連番符号と前回取得されたパケットに付された連番符号との間に存在する連番符号に対応するパケットを欠落パケットとして特定する。そして、送信要求部６４０が当該特定した欠落パケットの送信を通信回線を介してＷｅｂサーバ２２０に要求し、その要求に応じてＷｅｂサーバ２２０から通信回線を介して欠落パケットをパケット受信部６６０にて受信するようにしている。
【００７０】
以上より、データデコーダ５６０’によりＩＰパケットが取得される度に、今回取得されたＩＰパケットに付された連番符号と前回取得されたＩＰパケットに付された連番符号とが順番通りに連続していない場合には欠落パケットを通信回線経由で取得することができる。これにより、計時部６００により算出された経過時間が所定時間になった時点で欠落パケットを通信回線経由で取得しにいく第１の実施形態よりも欠落パケットをより早く取得することができる。
【００７１】
なお、上記第１および第２の実施形態では、Ｗｅｂサーバ２２０がＩＰパケット記憶部８２０を備えている例について説明したが、本発明はこれに限定されない。例えば、デジタル放送送信装置１２０がＩＰパケット記憶部８２０を備えるようにしても良い。この場合、送信要求部６４０からＷｅｂサーバ２２０に欠落パケット送信要求信号が送られてきたときに、Ｗｅｂサーバ２２０がデジタル放送送信装置１２０にアクセスして欠落パケットを取得し、それをパケット受信部６６０に送信する。具体的には、欠落パケット取得部８４０は、データ放送送信装置１２０のＩＰパケット記憶部８２０に記憶されている連番符号情報およびＩＰデータＩＤ情報を参照して、受信した欠落パケット送信要求信号に含まれる連番符号情報およびＩＰデータＩＤ情報に対応するＩＰパケットをＩＰパケット記憶部８２０から取得する。その後、欠落パケット送信部８６０は、欠落パケット取得部８４０により取得されたＩＰパケット（欠落パケット）を携帯電話端末２００を介してデジタル放送受信装置１４０のパケット受信部６６０に送信する。このようにすれば、欠落パケットの送信要求が発生していない場合に、デジタル放送送信装置１２０およびＷｅｂサーバ２２０の間での無駄な通信が発生しないようにすることができる。
【００７２】
また、上記第１および第２の実施形態では、送信要求部６４０は、ＩＰデータを構成する複数のＩＰパケットのうち特定部６２０（６２０’）により特定された欠落パケットのみの送信をＷｅｂサーバ２２０に要求する例について説明したが、本発明はこれに限定されない。例えば、送信要求部６４０は、欠落パケット特定部６２０（６２０’）により特定された欠落パケットおよびそれ以外のＩＰパケットも含めて、ひとまとまりのＩＰデータを構成する全てのＩＰパケットを送信する処理をＷｅｂサーバ２２０に要求するようにしても良い。ただし、欠落したＩＰパケットのみをできるだけ短い時間で取得したい観点からは、ＩＰデータを構成する複数のＩＰパケットのうち欠落パケット特定部６２０（６２０’）により特定された欠落パケットのみの送信をＷｅｂサーバ２２０に要求する方が好ましい。
【００７３】
また、上記第１および第２の実施形態では、デジタル放送受信装置１４０（１４０’）とＷｅｂサーバ２２０との間の通信回線は、携帯電話端末２００を介して形成された通信回線である例について説明したが、他の通信端末（例えば、パソコン）を介して形成された通信回線であっても良い。
【００７４】
また、上記第１および第２の実施形態では、デジタル放送送信装置１２０とＷｅｂサーバ２２０とが別の構成である例について説明したが、デジタル放送送信装置１２０とＷｅｂサーバ２２０とが一体構成であっても良い。
【００７５】
また、上記第１および第２の実施形態では、欠落パケットの特定を連番符号情報およびＩＰデータＩＤ情報を用いて行っているが、本発明はこれに限定されない。例えば、異なるＩＰデータＩＤ情報に属する各ＩＰパケットに対して全て固有の連番符号が付けられるのであれば、欠落パケットの特定を連番符号情報のみに基づいて行っても良い。
【００７６】
また、上記第１および第２の実施形態では、多重化部３８０は、ＴＳパケットを生成する度に、そのＴＳパケットに含まれる各ＩＰパケット、その連番符号情報およびＩＰデータＩＤ情報をＩＰパケット送信部４２０を介してＷｅｂサーバ２２０に送信する例について説明したが、本発明はこれに限定されない。例えば、多重化部３８０は、全てのＩＰパケットを生成した時点で、各ＩＰパケット、その連番符号情報およびＩＰデータＩＤ情報をＩＰパケット送信部４２０を介してＷｅｂサーバ２２０に送信するようにしても良いし、多重化して実際にデジタル放送信号を送信する前にあらかじめ各ＩＰパケットとその連番符号情報およびＩＰデータＩＤ情報をＷｅｂサーバ２２０に送信しておいても良い。
【００７７】
また、上記第１および第２の実施形態では、デジタル放送送信装置１２０がＩＰデータ記憶部３２０を備える例について説明したが、Ｗｅｂサーバ２２０がＩＰデータ記憶部３２０を備えるようにしても良い。この場合、多重化部３８０は、送信制御部３６０から出力された多重化要求信号を入力すると、その多重化要求信号に含まれるＩＰデータＩＤ情報に対応するＩＰデータをＷｅｂサーバ２２０のＩＰデータ記憶部３２０から取得する。そして、多重化部３８０は、ＩＰデータ記憶部３２０から取り出したＩＰデータを所定サイズに分割し、分割したＩＰデータ毎にパケット化して複数のＩＰパケットを生成する。
【００７８】
その他、上記第１および第２の実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【図面の簡単な説明】
【００７９】
【図１】第１の実施形態によるデジタル放送受信システムの全体構成例を示すブロック図である。
【図２】第１の実施形態によるデジタル放送受信システムの動作例を示すフローチャートである。
【図３】第１の実施形態によるデジタル放送受信システムの動作例を示すフローチャートである。
【図４】第１の実施形態によるデジタル放送受信システムの動作例を示すフローチャートである。
【図５】第２の実施形態によるデジタル放送受信システムの全体構成例を示すブロック図である。
【図６】第２の実施形態によるデジタル放送受信システムの動作例を示すフローチャートである。
【図７】第２の実施形態によるデジタル放送受信システムの動作例を示すフローチャートである。
【図８】第２の実施形態によるデジタル放送受信システムの動作例を示すフローチャートである。
【図９】従来のデジタル放送受信装置の構成例を示すブロック図である。
【符号の説明】
【００８０】
１００，１００’  デジタル放送受信システム
１２０  デジタル放送送信装置
１４０，１４０’  デジタル放送受信装置
２００  携帯電話端末
２２０  Ｗｅｂサーバ
５００  放送チューナ
５２０  ＴＳデコーダ
５６０，５６０’  データデコーダ
６２０，６２０’  特定部
６４０  送信要求部
６６０  パケット受信部
【図１】
2010035088.tif 000003
【図２】
2010035088.tif 000004
【図３】
2010035088.tif 000005
【図４】
2010035088.tif 000006
【図５】
2010035088.tif 000007
【図６】
2010035088.tif 000008
【図７】
2010035088.tif 000009
【図８】
2010035088.tif 000010
【図９】
2010035088.tif 000011